(57)【要約】【課題】無目を不要とし、上下の窓枠のビスによる接続箇所を少なくして、材料コスト、施工コストの削減を可能にした段窓サッシを提供する。【解決手段】下窓枠の上枠に上窓枠を載せ、上窓枠の下枠に下窓枠の上枠を直接接続してなる段窓サッシであって、下窓枠の上枠にはその室外側上部に係止部を設け、その室内側上部に第一重合部を設け、前記上窓枠の下枠にはその室外側下部に被係止部を設けるとともにその室内側下部に第二重合部を設けて、上窓枠の下枠の被係止部を開口部の下側部分に固定された下窓枠の上枠の係止部に係止した後、上窓枠を起立させて第二重合部を第一重合部に重合し、その重合部分に屋内側からビスをねじ込んで、下窓枠の上枠と上窓枠の下枠とを接続するようにした。【選択図】      図３
2006207176.tif 000002
【特許請求の範囲】
【請求項１】
下窓枠の上枠に上窓枠を載せ、前記上窓枠の下枠と前記下窓枠の上枠とを接続してなる段窓サッシであって、
前記下窓枠の上枠には、その室外側上部に係止部を設けるとともに、その室内側上部に第一重合部を設け、
前記上窓枠の下枠には、その室外側下部に被係止部を設けるとともに、その室内側下部に第二重合部を設け、
前記上窓枠の下枠の被係止部を前記下窓枠の上枠の係止部に係止した後、前記上窓枠を起立させて前記下窓枠の第一重合部に前記上窓枠の第二重合部を重合し、その重合部分を固着具により固着して、前記下窓枠の上枠と前記上窓枠の下枠とを接続するようにしたことを特徴とする段窓サッシ。
【請求項２】
下窓枠の上枠に上窓枠を載せ、前記上窓枠の下枠と前記下窓枠の上枠とを接続してなる段窓サッシであって、
前記下窓枠の上枠には、その室外側上部に係止部を設けるとともに、その室内側上部に第一重合部を設け、かつ、前記係止部と前記第一重合部の間に上向きの嵌合部を設け、
前記上窓枠の下枠には、その室外側下部に被係止部を設けるとともに、その室内側下部に第二重合部を設け、かつ、前記被係止部と前記第二重合部の間に下向きの被嵌合部を設け、
前記上窓枠の下枠の被係止部を前記下窓枠の上枠の係止部に係止した後、前記上窓枠を起立させて前記上窓枠の被嵌合部を前記下窓枠の嵌合部に嵌合すると同時に、前記下窓枠の第一重合部に前記上窓枠の第二重合部を重合し、その重合部分を固着具により固着して、前記下窓枠の上枠と前記上窓枠の下枠とを接続するようにしたことを特徴とする段窓サッシ。
【請求項３】
上窓枠の下枠は、上面壁と下面壁とを有して、その間に室内側上面から室外側面に連通する水抜き通路が形成され、下窓枠の上枠の室内外方向中間部位と上窓枠の下枠の室内外方向中間部位との間に水密材が介在されたことを特徴とする請求項１又は２に記載の段窓サッシ。
【請求項４】
請求項１、２又は３に記載の段窓サッシにおいて、固着具は第一重合部と第二重合部の重合部分に屋内側から取り付けられるものであり、上窓枠の下枠の室内側面と下窓枠の上枠の室内側面に、前記固着具を被覆するカバーが装着されていることを特徴とする段窓サッシ。
【請求項５】
請求項４に記載の段窓サッシにおいて、前記カバーは合成樹脂製であり、上窓枠と下窓枠の室内側面を被覆する合成樹脂製カバーのうち、上窓枠の下枠に装着されたもの及び下窓枠の上枠に装着されたものと連続するように装着されていることを特徴とする段窓サッシ。
【発明の詳細な説明】
【技術分野】
【０００１】
本発明は、段窓サッシに関する。
【背景技術】
【０００２】
従来の段窓サッシは、建物の外壁に設けた開口部を、その中間位置に設けた無目で下側開口部と上側開口部に分け、下側開口部には下窓用の窓枠（以下、下窓枠という。）を、上側開口部には上窓用の窓枠（以下、上窓枠という。）をそれぞれ嵌合し、下窓枠の上枠の一部を無目に重ね合わせるるもに、上窓枠の下枠の一部を無目に重ね合わせて、それぞれの重合部分にビスをねじ込むことにより接続する接続構造を用いている（例えば、特許文献１〜３）。
【特許文献１】特開平１１−１０７６３９号公報
【特許文献２】特開平１１−１９０１６９号公報
【特許文献３】特開平１１−２６４２７８号公報
【発明の開示】
【発明が解決しようとする課題】
【０００３】
従って、従来の段窓サッシは、上下の窓枠のほかに無目を必要とし、しかも、その無目を建物駆体に取り付ける必要がある。また、下窓枠の上枠と上窓枠の下枠とを各別に無目と重合し、その重合部分にビスをねじ込む作業が必要であるので、接続に多くの手間がかかる。従って、従来は、材料コストと施工コストが嵩むという問題があった。
【０００４】
本発明は、上記の点に鑑みてなされたものであり、その解決しようとする課題は、上下の窓枠とは別部材である無目を不要とし、しかも、上下の窓枠のビスによる接続箇所を可及的に少なくして、材料コスト及び施工コストの削減を可能にした段窓サッシを提供することにある。
【課題を解決するための手段】
【０００５】
上記課題を解決するため、本発明は、下窓枠の上枠に上窓枠を載せ、上窓枠の下枠と前記下窓枠の上枠とを接続してなる段窓サッシであって、前記下窓枠の上枠には、その室外側上部に係止部を設けるとともに、その室内側上部に第一重合部を設け、前記上窓枠の下枠には、その室外側下部に被係止部を設けるとともに、その室内側下部に第二重合部を設けて、前記上窓枠の下枠の被係止部を前記下窓枠の上枠の係止部に係止した後、前記上窓枠を起立させて前記上窓枠の第二重合部を前記下窓枠の第一重合部に重合し、その重合部分を固着具により固着して、前記下窓枠の上枠と前記上窓枠の下枠とを接続するようにしたことを特徴としている（請求項１）。
上記構成により、建物の外壁に形成された開口部の下部に下窓枠を固定し、上窓枠をその開口部の上部に嵌合する際に、上窓枠の下枠の被係止部を下窓枠の上枠の係止部に係止した後、上窓枠を直立状態になるように立てて、上窓枠の第二重合部を下窓枠の第一重合部に重合し、その重合部分を固着具で固着することにより、下窓枠の上枠と上窓枠の下枠が確実・堅固に接続される。
【０００６】
本発明の好ましい実施の態様は、下窓枠の上枠には、その室外側上部に係止部を設けるとともに、その室内側上部に第一重合部を設け、かつ、前記係止部と前記第一重合部の間に上向きの嵌合部を設け、他方、上窓枠の下枠には、その室外側下部に被係止部を設けるとともに、その室内側下部に第二重合部を設け、かつ、前記被係止部と前記第二重合部の間に下向きの被嵌合部を設けて、前記上窓枠の下枠の被係止部を前記下窓枠の上枠の係止部に係止した後、その上窓枠を起立させて前記上窓枠の被嵌合部を前記下窓枠の嵌合部に嵌合すると同時に、前記下窓枠の第一重合部に前記上窓枠の第二重合部を重合し、その重合部分を固着具により固着して、前記下窓枠の上枠と前記上窓枠の下枠とを接続するようにしたことを特徴としている（請求項２）。
上記構成により、窓開口部の下部に下窓枠を固定し、上窓枠をその窓開口部の上部に嵌合する際に、上窓枠の下枠の被係止部を下窓枠の上枠の係止部に係止した後、上窓枠を直立状態になるように立てて、上窓枠の被嵌合部を下窓枠の嵌合部に嵌合させ、かつ、同時に上窓枠の第二重合部を下窓枠の第一重合部に重合し、その重合部分を固着具で固着することにより、下窓枠の上枠と上窓枠の下枠が確実・堅固に接続される。
【０００７】
前記上窓枠の下枠は、上面壁と下面壁とを有して、その間に室内側上面から室外側面に連通する水抜き通路が形成され、前記下窓枠の上枠の室内外方向中間部位と上窓枠の下枠の室内外方向中間部位との間に水密材が介在されることが望ましい（請求項３）。
【０００８】
固着具は第一重合部と第二重合部の重合部分に屋内側から取り付けられ、上記上窓枠の下枠の室内側面と上記下窓枠の上枠の室内側面には、前記固着具を被覆するカバーが装着されることが望ましい（請求項４）。
【０００９】
前記カバーは合成樹脂製であり、上窓枠と下窓枠の室内側面を被覆する合成樹脂製カバーのうち、上窓枠の下枠に装着されたもの及び下窓枠の上枠に装着されたものと連続するように装着されていることが望ましい（請求項５）。
【発明の効果】
【００１０】
請求項１の発明によれば、下窓枠の上枠と上窓枠の下枠とが直接に接続されるので、従来と異なり、無目の取り付け及び無目に対する下窓枠の上枠と上窓枠の下枠の接続作業を必要としない。また、下窓枠の上枠と上窓枠の下枠とは、第一重合部と第二重合部の重合部分において固着具により固着されるので、固着箇所を大幅に削減することができる。従って、構造の簡素化が図れるとともに、製造コスト及び施工コストの削減が可能である。  
【００１１】
請求項２の発明によれば、上窓枠の下枠の被係止部を下窓枠の上枠の係止部に係止した後、上窓枠を直立状態になるように立てて、上窓枠の被嵌合部を下窓枠の嵌合部に嵌合させ、かつ、同時に上窓枠の第二重合部を下窓枠の第一重合部に重合し、その重合部分を固着具により固着するので、上窓枠の下枠と下窓枠の上枠とは、被係止部と係止部との係止及び被嵌合部と嵌合部との嵌合により、上窓枠の下枠と下窓枠の上枠とが安定状態に保持されたまま、固着具による接続作業を行うことができるため、作業の安全性が高く、施工能率が一層向上する。
【００１２】
請求項３の発明によれば、上窓枠の下枠に、上面壁と下面壁とを備えてその間に室内側 上面から室外側面に連通する水抜き通路を形成し、前記下窓枠の上枠の室内外方向中間部位と上窓枠の下枠の室内外方向中間部位との間に水密材を介在させるので、上側の窓面に生じた結露を上窓枠の下枠の中の水抜き通路を経て円滑に屋外側に排水することができ、また、上窓枠と下窓枠の間から水が屋内方向に浸入することが防止される。
【００１３】
請求項４の発明によれば、上窓枠の下枠の室内側面と下窓枠の上枠の室内側面に、第一重合部と第二重合部を接続する固着具を被覆するカバーが装着されるので、固着具が屋内側に露見されて体裁を損なうことが防止される。
【００１４】
請求項５の発明によれば、下窓枠の上枠の屋内側面と上窓枠の下枠の屋内側面に合成樹脂製カバーが、上窓枠と下窓枠の室内側面に配設される合成樹脂製カバーのうち、下窓枠の上枠の屋内側面と上窓枠の下枠の屋内側面に装着されるものと連続するように装着されるので、段窓サッシ全体の屋内側外観体裁の向上を図ることができるとともに、段窓サッシの断熱性が向上する。
【発明を実施するための最良の形態】
【００１５】
続いて、本発明の実施の形態について、図面を参照しながら説明する。
図１は本発明の基本的概念を説明する概略図、図２は図１（ｃ）の縦断面図、図３ないし図５はそれぞれ図２のＡ，Ｂ，Ｃ部分の拡大図、図６は図２のＸ−Ｘ線に沿った詳細横断面図、図７は窓枠の建物駆体に対する固定手段の一例を示す一部の斜視図、図８は下窓枠に対して上窓枠を接続する過程を示す説明図である。図９は図３の下窓枠の上枠と上窓枠の下枠の重合部の拡大図、図１０は図５の水密材装着部の拡大図、図１１は一つの窓枠内に複数の窓が横方向に設けられた例を示す斜視図、図１２は図１１の窓の一部を省略して示す横断面図である。
【００１６】
本発明に係る段窓サッシは、概括的には、図１及び図２に示すように、下窓枠１００と上窓枠２００とから構成される。これらの上下の窓枠は、建物の外壁Ｗに形成された一つの開口部３００の下部及び上部の中に嵌合され、後に詳述される方法により固定され、相互に接続される。
【００１７】
下窓枠１００は、上枠１１０，下枠１２０及び左右の縦枠１３０，１４０を周知技術を用いて矩形に連結してなっており、その窓枠の中にパネル１５０が取り付けられて、一つのユニットに構成されている。パネル１５０は、嵌め殺し又は任意の形式（縦すべり出し、横すべり出し式等）で開閉されるもののいずれでもよい。そして、下窓枠１００は、開口部３００の下部に嵌合して後述される固定具を用いて固定される。
【００１８】
上窓枠２００は、下窓枠１００と同様に、上枠２１０，下枠２２０及び左右の縦枠２３０，２４０を周知技術を用い手矩形に連結してなっており、その窓枠の中にパネル２５０が取り付けられて、一つのユニットに構成されている。パネル２５０も、嵌め殺し又は任意の形式（縦すべり出し、横すべり出し式等）で開閉されるもののいずれでもよい。そして、下窓枠２００は、開口部３００の上部に嵌合して下窓枠１００の場合と同様の固定具を用いて固定される。
【００１９】
開口部３００に上下の窓枠１００，２００を取り付けるには、開口部３００の下部に下窓枠１００を嵌合し、固定する。次いで、上窓枠２００を開口部３００の上部に接近し、まず、その下枠２２０を下窓枠１００の上枠１１０の上部に載せ、かつ、後に詳しく説明するように、その上枠の屋外部分に係止した状態で上窓枠２００を垂直状態に起立させて、上窓枠２００を開口部３００の上部に嵌合する（図１（ｃ））。その際に、下窓枠１００の上枠１１０の屋内側部分に形成されている第一重合部と、上窓枠２００の下枠２２０の屋内側部分に形成されている第二重合部を屋内外方向に重ね合わせる。そして、上窓枠２００の上枠２１０及び左右の縦枠２３０．２４０を開口部３００の周辺に固定具を用いて固定する。そして、最後に、上記第一重合部と第二重合部の重合部分を屋内側から固着具、例えば、ビスを重合部分にねじ込んで固着する。
【００２０】
上に概説した段窓サッシの構成において、本発明の要部は下窓枠１００の上枠１１０と上窓枠２００の下枠２２０の接続構造にある。以下に、図３以下の図面に示された具体例に基づいて、詳細に説明する。
【００２１】
図１及び図２における下窓枠１００の上枠１１０は、図３に詳しく示されているように、屋外側端部付近において起立する係止部１１１を有し、その係止部よりも屋内方向に寄った位置において起立して、屈曲部が屋内方向に突出するようにく字形に屈曲された嵌合部１１２を有し、屋内側端部付近において起立する第一重合部１１３が設けられている。これら係止部１１１、嵌合部１１２及び第一重合部１１３は上枠１１０の全長に沿って連続している。
なお、図示の例では、下窓枠１００に設けられるパネル１５０は、矩形に枠組みされた框体１５１の中にガラス板１５２を装着したものであるので、下窓枠１００の上枠１１０の底面は、パネルの上框の断面形状に合致する階段状に形成されている。
【００２２】
また、図示された実施の形態は、断熱サッシに適用した場合のものであるので、下窓枠１００に装着されるパネル１５０には複層ガラス１５２が用いられているとともに、下窓枠の上枠１１０、下枠１２０及び左右の縦枠１３０，１４０の屋内側面及びパネル１５０の框体１５１の屋内側面に、装飾性と断熱性に優れた合成樹脂製カバーＰＣ１１０〜ＰＣ１４０，ＰＣ１５０が固着されている。固着するための構造は特に限定されない。
【００２３】
図１及び図２における下窓枠１００の下枠１２０は、図４に詳しく示されているように、所要の強度を備えるために、一つ又は複数の中空部１２１，１２２を有し、その上面の屋内側端部と中空部の中間壁と屋外側面の下部とに、パネル１５０の屋内側面に生じる結露水を屋外に排水するための孔（図示せず）が形成されている。１２３は、下枠１２０の上面の屋内側部分に付加された補強用の補助下枠である。下枠の合成樹脂製カバーＰＣ１２０は、この補助下枠１２３に取り付けられている。１２４及び１２５は、下枠１２０の屋内側面に設けられた凸縁に係合して固定された断熱材である。
【００２４】
図１における下窓枠１００の左右の縦枠１３０，１４０は、図６に示すように、屋外側に所要の強度を備えるための中空部１３１、１４１を有し、その中空部から屋内方向に延長する縦壁１３２，１４２を有し、さらにその縦壁の中間位置において互いに他の縦枠方向に突出する 突壁１３３，１４３を有している。そして、縦枠１３０，１４０における 合成樹脂製カバーＰＣ１３０，ＰＣ１４０は、縦壁１３２，１４２の屋内側部分及び突壁１３３，１４３の屋内側面を被覆するように前記縦壁１３２，１４２に取り付けられている。
【００２５】
上記下窓枠１００内には上記パネル１５０が嵌合され、その周辺の框体の外周及び合成樹脂カバーＰＣ１５０と下窓枠１００の内周との間に水密材ｗｐを介在させた状態で、パネル１５０が下窓枠１００に固定されている。すなわち、パネル１５０の下部においては、図４に示すように、下枠１２０の上面に係止金具ａ１をビスｂ１で固着するとともに、パネルの下框の下面に係止金具ａ２をビスｂ２で固着してあり、パネル１５０の上部においては、図３に示すように、上枠１１０の下面に係止金具ａ３をビスｂ３で固着するとともに、パネル１５０の上框に板ばねａ４をビスｂ４で固着し、さらに、パネル１５０の縦辺においては、縦框の側面に接続金具ａ５をビスｂ５で固着してあり、パネル１５０を下窓枠１００内にけんどん式に嵌合して、係止金具ａ１，ａ２と板ばねａ４の作用により固定し、最後に縦枠１３０，１４０の突壁１３３，１４３に貫通したビスｂ６を接続金具ａ５にねじ込むことにより固定してある。
【００２６】
次に、上窓枠２００の構成について説明する。
図１及び図２における上窓枠２００の上枠２１０は、図５に詳しく示されているように、ほぼＬ字形の中空部２１１を有し、その下面はパネル２５０の上端部が気密に嵌合できるように階段状に形成されている。また、中空部２１１の屋内側面の上部から屋内方向に延長する横壁２１２と、中空部の屋内側面から垂下する縦壁２１３を有している。そして、縦壁２１３に合成樹脂製カバーＰＣ２１０が、中空部２１１の屋内側面、横壁２１２の屋内側面及びその縦壁２１３の屋内側面を被覆するように固着されている。このカバーＰＣ２１０は、横壁２１２から屋内方向に延長されており、その延長部分で上枠２１０を建物躯体に固定するための固定部２１４が形成されている。
【００２７】
図１及び図２における上窓枠２００の下枠２２０は、図３に詳しく示されているように、所要の強度を備えるために屋内外方向に隣接する二つの中空部２２１，２２２を有し、屋外側の中空部２２１の屋外側面の下部に断面Ｌ字形の被係止部２２３を、下枠の底壁の中間位置に屈曲部が屋外方向に突出する被嵌合部２２４を、さらに、屋内側の中空部２２２の屋内側面の下部から下方に延びる第二重合部２２５を有している。そして、屋内側の中空部の上面の屋内側端部と両中空部の間の仕切り壁の下端部と屋外側の中空部の屋外側面の下部とに、上窓枠のパネル２５０の屋内側面に生じる結露水を排水するための孔（図示せず）が形成されている。
【００２８】
図１の上窓枠２００の両縦枠２３０，２４０の構成は、図６の下窓枠１００の両縦枠の構成と基本的に異ならないので、説明を省略する。
【００２９】
図３の２２６は、上窓枠２００の下枠２２０の屋内側の中空部２２２の上面の屋内側部分に補強のために固着された補助下枠であり、その屋内側面に合成樹脂製カバーＰＣ２２０が取り付けられている。
上窓枠２００のパネル２５０は、図示の例では、下窓枠１００に取り付けられたパネル１５０と同一構造のものである。パネル１５０と同様に上窓枠内に固定されてもよいし、図３に例示するように、縦滑り出し可能に取り付け、補助下枠２２６に既知の技術により取り付けられた既知の開閉ハンドル２８０で開閉可能にしてもよい。
【００３０】
続いて、それぞれユニット構成とされた下窓枠１００と上窓枠２００を建物の開口部３００に取り付ける方法について、主として図１、図７及び図８に基づいて説明する。
【００３１】
まず、図１（ａ）における下窓枠１００を開口部３００の下部に嵌合し、下枠１２０を開口部の底辺又は建物駆体の窓台３０１（図１及び図４参照）の上面に載置し、図６及び図７に示すように、両縦枠１３０，１４０の中空部１３１，１４１を建物駆体の柱（又は同等物。以下、柱という。）３０２の屋外側面に当接した状態で、図７に示されているように、その柱に縦方向に間隔をおいて回転可能に取り付けてある複数の固定具３０３を起立姿勢から横転させて、図６に示すように縦枠１３０，１４０を柱３０２との間に挟持して固定する。
【００３２】
この固定の状態で、下窓枠１００の下枠１２０に貫通したねじ４０１，４０２を窓台３０１及び床材３０４にねじ込み、縦枠１３０，１４０の屋内側端部に貫通したねじ４０３を額縁３０６にねじ込んで固定する。
【００３３】
次に、上窓枠２００を開口部３００の上部に嵌合して下枠２２０を下窓枠１００の上枠１１０に結合するが、その過程において、図８（ａ）に示すように、まず下枠２２０を下窓枠の上枠に接近させ、傾斜状態にある上窓枠の下枠２２０の被係止部２２３を下窓枠の上枠の屋外側端部付近に設けてある係止部１１１に係止し、そのまま直立姿勢になるまで起立すると、図８（ｂ）に示すように、上窓枠２００の上枠２１０が開口部３００の上部内側に嵌合するとともに、上窓枠の下枠の被嵌合部２２４が下窓枠の嵌合部１１２にそれらのく字形の形状及び弾性  により堅固に嵌合し、同時に、上窓枠の下枠２２０の第二重合部２２５が下窓枠の上枠１１０の第一重合部１１３の屋外側に存するように重ね合わされる。
【００３４】
この場合、上窓枠の下枠の第二重合部２２５には、図９に示すすように、肉厚が厚くされたビス受け部２２５ａが設けられ、また、下窓枠の上枠の第一重合部１１３には、ビス貫通孔１１３ａが形成されている。また、図８に示すように、下窓枠１００の左右の縦枠１３０，１４０の中空部１３１，１４１（図６参照）の上端部には連結ブロック１６０が突設され、上窓枠２００の左右の縦枠２３０，２４０の中空部の下端部にも連結ブロック１６０と雄雌嵌合する連結ブロック２６０が突設されていて、下窓枠１００の上側に上窓枠２００を載せ、被係止部と係止部の係止、及び重合部同士の重合時には、両ブロック１６０，２６０が雌雄嵌合して、上下の縦枠が垂直線と直交する方向に相対的にずれるのを防止するように構成されている。
【００３５】
上窓枠２００を開口部３００の上部に嵌合した状態で、上窓枠２００に対しても、図７に下窓枠１００の場合について示されたと同様に柱３０２に取り付けてある固定具３０３により固定して、安定化させる。その状態で、上枠２１０においては、中空部２１１の上面に設けてある取付縁２１５からねじ４０４を建物躯体に固定した上枠固定材３０７にねじ込み、合成樹脂製カバーＰＣ２１０の固定部２１４からねじ４０５を額縁３０６にねじ込んで固定する。また、上窓枠の縦枠２３０，２４０においては、図６に下窓枠１００の縦枠１３０，１４０の場合について示されているのと同じように、合成樹脂製カバーの屋内側端部に貫通したねじ４０３を額縁３０６にねじ込むことにより固定する。そして、最後に、上窓枠２００の下枠を下窓枠の上枠に載せた後、屋内側からセルフドリリングビスｂ７をビス貫通孔１１３ａに貫通し、回転させながらビス受け部２２５ａに押し付けると、ビスがねじ孔を開けながら進入して、二つの重合部を結合する。これにより、上下の窓枠１００，２００が完全に接続されて、段窓サッシが完成する。
【００３６】
このようにして上窓枠と下窓枠の開口部３００への取付が終了した状態では、窓枠の室内側面と各パネルの周囲の框の室内側面には、断熱性及び装飾性の向上のために合成樹脂製カバーＰＣ１１０〜ＰＣ１４０，ＰＣ２１０〜ＰＣ２４０が装着されて、矩形に連続している。しかしながら、下窓枠の上枠１１０の第一重合部と、上窓枠の下枠２２０の第二重合部には、合成樹脂製カバーを予め装着しておくことはできないので、上記の段窓サッシの完成時点では、ともに金属製の上窓枠の下枠と下窓枠の上枠の屋内側面が室内に露出することとなるので、結露防止及び室内装飾性が低下する。
【００３７】
従って、本発明の好ましい実施の形態においては、図３に示すように、上窓枠の下枠と下窓枠の上枠の屋内側面に上窓枠の下枠に装着されている合成樹脂製カバーＰＣ２２０から下窓枠の上枠１１０に装着されている合成樹脂製カバーＰＣ１１０まで連続して当接する連続用合成樹脂製カバーＰＣ１−２が、複数個の相対する係止縁による嵌合係止方式で着脱可能に取り付けられている。これにより、段窓サッシの上下の窓の中間部にも見かけ上、一体の合成樹脂製カバーＰＣ２２０，ＰＣ１−２，ＰＣ１１０が装着されているので、断熱性と装飾性が向上する。
【００３８】
上述のように、上窓枠の下枠２２０には、パネル２５０の室内面に生じる結露水を排出する排水経路が設けられているから、上窓枠の下枠の屋外側面を流下する排水は、その下枠及び下窓枠の上枠の屋外側端部の隙間から浸入し、さらに嵌合部と被嵌合部との当接部分からも浸入する虞がある。そこで、本発明の好ましい実施の形態においては、図３及び図１０に示すように、下窓枠の上枠１１０の上面に、係止部１１１と嵌合部１１２との間において、水密材ｗｔを設けるとともに、上窓枠の下枠２２０の下面にも被係止部と被嵌合部の間において垂下縁２２７を設けて、上枠１１０の上に下枠２２０を載せたときに、その垂下縁２２７の下端部が水密材ｗｔに押圧密着するようにして、水密性の信頼性を高めている。
【００３９】
以上には、便宜的に図１に示すように、上下のユニットは単一の窓を有するものとして説明した。しかし、各ユニットのパターンには、上下の両ユニットが単一の窓を有するもののほか、一方が単一窓、他方が複数窓を有するもの；上下いずれのユニットも複数窓を有するものなどの、各種のパターンが可能である。図１１は上下のユニットにそれぞれ複数の窓ｗ１１〜ｗ１４，ｗ２１〜ｗ２４を備えた場合の一例を示す斜視図である。ｗ１１〜ｗ１４は、嵌め殺しされたパネルを備えた窓であり、ｗ２１，ｗ２４は、一例としてハンドル操作により縦滑り出し式に開閉される戸を備えた窓である。このように複数の窓を備える場合は、図１１に示され、図１２に一部を省略して示されるように、各窓の間に方立１７０，２７０が設けられる。各方立は、その上端部及び下端部が当該窓枠の上枠及び下枠の対向面に突き当て、それらの互いに反対側からビスを方立に形成してあるビスホールにねじ込む周知技術により接続されるので、詳細な説明は省く。
【図面の簡単な説明】
【００４０】
【図１】本発明の基本的概念を説明する概略図。
【図２】図１（ｃ）の縦断面図。
【図３】図１（ｃ）の縦断面図。
【図４】図１（ｃ）の縦断面図。
【図５】図１（ｃ）の縦断面図。
【図６】図２のＸ−Ｘ線に沿った詳細横断面図。
【図７】窓枠の建物駆体に対する固定手段の一例を示す一部の斜視図。
【図８】下窓枠に対して上窓枠を接続する過程を示す説明図。
【図９】図３の下窓枠の上枠と上窓枠の下枠の重合部の拡大図。
【図１０】図３の水密材装着部の拡大図。
【図１１】一つの窓枠内に複数の窓が横方向に設けられた例を示す斜視図。
【図１２】図１１の窓の一部を省略して示す横断面図。
【符号の説明】
【００４１】
１００    下窓枠
１１０          上枠
１１１          係止部
１１２          嵌合部
１１３          第一重合部
１２０          下枠
１３０，１４０  縦枠
１５０          パネル
１６０          方立
２００    上窓枠
２１０          上枠
２２０          下枠
２２３          被係止部
２２４          被嵌合部
２２５          第二重合部
２３０，２４０  縦枠
２５０          パネル
２６０          方立
３００    開口部
ｗｔ      水密材
【図１】
2006207176.tif 000003
【図２】
2006207176.tif 000004
【図３】
2006207176.tif 000005
【図４】
2006207176.tif 000006
【図５】
2006207176.tif 000007
【図６】
2006207176.tif 000008
【図７】
2006207176.tif 000009
【図８】
2006207176.tif 000010
【図９】
2006207176.tif 000011
【図１０】
2006207176.tif 000012
【図１１】
2006207176.tif 000013
【図１２】
2006207176.tif 000014